(57)【要約】【課題】顧客からのサービス要求に回答するまでに、２つ以上のサーバ処理が実現可能な移動体通信システムを提供する。【解決手段】移動体通信システムにおいて、顧客のサービス要求に応じたサービスの組合せを提供し、リダイレクションを起動することにより移動体通信事業者のネットワークを介してサービスの提供を行う目的のサーバへと中継処理を行う。【選択図】  図１
2005025484.tif 000002
【特許請求の範囲】
【請求項１】
インターネット接続端末から移動体通信ネットワークを介してゲートウェイ装置へと接続され、該ゲートウェイ装置がサービスを提供するサーバと接続している移動体通信システムにおいて、
前記ゲートウェイ装置がユーザのサービス要求に応じた複数のサービスの組合せ情報を提供するサービス組合せデータベースが提供するサービス組合せ情報に基づく、該複数のサービスの一部を提供するサーバから該複数のサービスの別の一部分を提供するサーバへのリダイレクション機能を有することを特徴とする移動体通信システム。
【請求項２】
請求項１記載の移動体通信システムにおいて、前記ゲートウェイ装置がユーザのサービス要求に応じた複数のサービスの組合せ情報を提供する前記サービス組合せデータベースを有し、該サービス組合せ情報に基づき前記複数のサービスの一部を提供するサーバから前記複数のサービスの別の一部分を提供するサーバへのリダイレクション機能を有することを特徴とする移動体通信システム。
【請求項３】
請求項１記載の移動体通信システムにおいて、前記複数のサービスの一部を提供するサーバが前記サービス組合せデータベースを有し、前記複数のサービスの別の一部分を提供するサーバへのリダイレクションを起動することを特徴とする移動体通信システム。
【請求項４】
請求項１記載の移動体通信システムにおいて、前記インターネット接続端末が前記ユーザのサービス要求に応じたサービス組合せ情報を提供する前記サービス組合せデータベースを有し、該サービス組合せデータベースが提供するサービス組合せ情報に基づき、該複数のサービスの一部を提供するサーバから該複数のサービスの別の一部分を提供するサーバへのリダイレクションを起動することを特徴とする移動体通信システム。
【請求項５】
請求項１記載の移動体通信システムにおいて、前記インターネット接続端末が複数のサービスの組合せを要求し、該インターネット接続端末の複数のサービス組合せ要求に応じて請求項１記載のゲートウェイ装置が、前記複数のサービスの一部を提供するサーバから前記複数のサービスの別の一部分を提供するサーバへのリダイレクション機能を有することを特徴とする移動体通信システム。
【請求項６】
請求項２記載の移動体通信システムにおいて、前記複数のサービスの一部を提供するサーバが、前記インターネット接続端末が要求している複数のサービスの組合せを要求し、該複数のサービスの一部を提供するサーバから該複数のサービスの別の一部分を提供するサーバへのリダイレクションを起動することを特徴とする移動体通信システム。
【請求項７】
請求項１記載の移動体通信システムにおいて、ゲートウェイ装置が、前記複数のサービスの一部を提供するサーバから結果を受け取り、前記インターネット接続端末の要求に応じた複数のサービスの組合せを実施し、該複数のサービスの別の一部分を提供するサーバへのリダイレクションを起動することを特徴とする移動体通信システム。
【請求項８】
インターネット接続端末から移動体通信ネットワークを介してゲートウェイ装置へと接続され、該ゲートウェイ装置がサービスを提供するサーバと接続している移動体通信システムにおけるゲートウェイ装置であって、
前記ユーザのサービス要求に応じて複数のサービスの組合せを提供し、該複数のサービスの一部を提供するサーバから該複数のサービスの別の一部分を提供するサーバへのリダイレクション機能を有することを特徴とするゲートウェイ装置。
【請求項９】
インターネット接続端末から移動体通信ネットワークを介してゲートウェイ装置へと接続され、該ゲートウェイ装置がサービスを提供するサーバ装置と接続している移動体通信システムにおけるサーバ装置であって、
前記ユーザのサービス要求に応じて複数のサービスの組合せを提供し、前記ゲートウェイ装置に該複数のサービスの一部を提供するサーバから該複数のサービスの別の一部分を提供する該サーバ装置へのリダイレクションを該ゲートウェイ装置に起動させることを特徴とするサーバ装置。
【請求項１０】
請求項１記載の移動体通信システムにおいて、前記ゲートウェイ装置と接続している複数のサービスを提供する前記サーバが、無線サービスだけでなく固定網サービスにも適用可能な複数のサービスを提供することを特徴とする移動体通信システム。
【請求項１１】
請求項１記載の移動体通信システムにおいて、前記複数のサービスの一部分を提供するサーバが、該複数のサービスの別の一部分を提供するサーバの結果を前記ユーザのサービス要求に応じて加工することを特徴とする移動体通信システム。
【請求項１２】
請求項１記載の移動体通信システムにおいて、前記ゲートウェイ装置と接続しているサーバを、前記ユーザのサービス要求に応じて組合せ、ユーザへのサービス提供をすることを特徴とする移動体通信システム。
【発明の詳細な説明】
【０００１】
【発明の属する技術分野】
本発明は、移動体通信システムに係り、顧客のサービス要求に応じて１つ以上のサーバ処理を実行しデータを加工する移動体通信システムに関する。
【０００２】
【従来の技術】
携帯電話からインターネットに接続して、インターネット上のサイトから携帯電話利用者に情報を提供するサービスが行われている。このようなサービスにおいては、携帯電話網とインターネットを橋渡しするゲートウェイを携帯電話事業者が設けて、このゲートウェイ上で必要なプロトコル変換および移動体通信セッションの管理を行いデータのやり取りを行っている。一般的に携帯電話網上で情報提供を行うサービス事業者は、サービス提供において、関係する携帯電話事業者それぞれの対応仕様に合わせ、Ｗｅｂサーバ上でアクセス元の携帯電話事業者、携帯端末機種などを判別してＨＴＭＬで記述されたファイルをアクセス元の携帯端末で扱うことの出来るファイル形式に変換する仕組みや、Ｗｅｂサーバ上でアクセス元の携帯端末ＩＤを識別して特定のコンテンツについては適切にアクセス制御を行う仕組みなどを必要とする。携帯電話端末の仕様やアクセス可能なコンテンツの種類が各携帯電話事業者それぞれにおいて異なるため、情報提供を行う事業者は携帯電話事業者毎に個別のコンテンツを構築する必要がある。それゆえ特定の移動体通信事業者専用に構築したサーバを、携帯電話事業者に対応させる事が困難であった。
【０００３】
特開２００２−３０４３５２号公報では、サービス可能な携帯端末機種の端末機種識別情報と、コンテンツ表示に関わる属性情報を記録した第一のデータベースと、携帯端末機種に応じて実際にアクセスすべきコンテンツファイルを選択する為に参照する第二のデータベースと、Ｗｅｂサーバから渡されたＵＲＬとヘッダー情報から、携帯電話事業者を特定するアクセス制御部とリクエスト元の仕様携帯端末機種を特定する第二の制御部と、第二のデータベースを参照してリクエスト元の使用携帯端末機種に応じて指定されたコンテンツファイルにアクセスし、前記Ｗｅｂサーバに渡すべきコンテンツデータを準備または作成するコンテンツ制御部と、を備えた構成をとることにより、ユーザがサービス加入している携帯電話サービス事業者や携帯端末機種によらずに、単一のサーバ装置内で統一的に情報提供を行うシステムを提唱している。この構成により、特定の移動体通信事業者専用に構築したサーバを、他の携帯電話事業者のサービスを利用しているユーザにも対応可能としている。
【０００４】
【特許文献１】
特開２００２−３０４３５２号公報
【０００５】
【発明が解決しようとする課題】
前述の従来技術にて提唱されているシステムにおいては、携帯電話事業者の端末種別に応じてある１つのコンテンツへのアクセスと、そのアクセス結果をユーザへのサービス回答とすることは可能である。しかし、ユーザのサービス要求の結果として、複数のコンテンツをまたがる場合や単なる、事業者間フォーマット変換以外のコンテンツ加工を伴うサービスの提供は実現困難である。つまり、１つのコンテンツへのアクセスのみでユーザへのサービス提供が可能なサービスにおいては適用可能だが、ユーザのサービス要求が複数のコンテンツへのアクセスの組合せや加工を必要とする処理においては適用出来ないという課題がある。このため従来の方法ではこのような複雑なサービスにおいては、移動体端末は複数のサービスに個別にアクセスする必要があった。
【０００６】
本発明の目的は、かかる課題を解決し顧客からのサービス要求に応じて、１つ以上のサービス組合せを実行可能とする移動体通信システムを提供することにある。
【０００７】
【課題を解決するための手段】
上記課題を解決するために、本発明の移動体通信システムは、ユーザのサービス要求に応じてサービスの組合せと処理手順を格納しているサービス組合せデータベースを移動体通信システムが有し、サービス組合せデータベースのサービス組合せ結果に応じて、複数のサーバ間の中継処理をゲートウェイがリダイレクション処理することにより、ユーザへのサービス提供を実現するという構成をとる。
リダイレクションとは、ユーザのサービス要求を実現可能とするために、ゲートウェイ装置やサーバ装置が複数のサーバ間をサービスの組合せ結果に応じて転送する行為を指す。この移動体通信システムの構成によれば、移動体通信事業者のゲートウェイ装置によりユーザのサービス要求に応じたサービスの組合せ処理が可能になると同時に、ユーザへのサービス要求に回答する際に、移動体通信セッションをゲートウェイが維持しながら１つ以上のサーバ処理の実現が可能になる。また、複数のサービスを利用するにもかかわらず貴重なネットワークリソースである無線区間の効率的な使用が可能となる。
【０００８】
【発明の実施の形態】
以下、本発明の実施形態について、図面を参照し詳細に説明する。
（実施例１）
図１は、本発明の実施例１に係る移動体通信システムの全体構成図である。図１において、インターネット接続端末１１０は移動体通信事業者のネットワーク１２０を介して移動体通信事業者のゲートウェイ装置１３０と接続している。移動体通信事業者のネットワーク１２０とは、無線基地局や交換機を含む従来の移動体通信事業者のネットワークを意味する。ゲートウェイ装置１３０は、インターネット接続端末１１０からの要求に応じてサービスの組合せを実行するサービス組合せデータベース１３１と、スイッチの経路制御を行うスイッチ制御部１３２と、各種サーバ１５０、１６０やインターネット接続端末１１０への中継を実行するスイッチ１３４から構成されている。スイッチ１３４内のデータを中継する機能をデータ転送部１３３とする。サービス組合せデータベース１３１とスイッチ１３４は移動体通信事業者のネットワーク１２０とそれぞれ接続している。サービス組合せデータベース１３１はスイッチ制御部１３２と接続しており、スイッチ制御部１３２はスイッチ１３４と接続している。スイッチ１３４は通信ネットワーク１４０を介して、あるいは通信ネットワークを介さずに各種サーバ１６０、１７０と接続している。各種サーバ１６０は、例えばサーバＡ１６１といったサーバ群で構成される。各種サーバ１５０は通信ネットワーク１４０を介して、ゲートウェイ装置内のスイッチ１３４と接続しており、例えばサーバＢ１５１といったサーバ群で構成される。
【０００９】
本実施の形態では、ゲートウェイ装置がインターネット接続端末０からのサービス要求に応じて処理先経路を選択・判断し中継すると同時に、次のサービス処理サーバへリダイレクションを起動させ、次のサーバにてデータの加工を実行することにより、顧客への要求に回答することを可能にする。
【００１０】
図２は図１の移動体通信システムの全体構成図における実施例１の処理動作を示したものである。インターネット接続端末１１０よりサービスＡ＋サービスのＢの要求が移動体通信事業者のネットワーク１２０を介してゲートウェイ装置１３０に送信される（ステップ１１０１）。サービスＡ、サービスＢはそれぞれサーバＡ１６１、サーバＢ１５１により実現されるものとする。ゲートウェイ装置１３０のサービス組合せデータベース１３１は顧客の要求を実現するサーバＡ１６１とサーバＢ１５１の組合せ処理経路を判断し（ステップ１３１１）、中継経路をスイッチ制御部１３２に伝達する（ステップ１３１２）。スイッチ制御部１３２はスイッチのデータ転送部１３３へ中継処理を指示する（ステップ１３２１、ステップ１３２２）。スイッチのデータ転送部１３３は通信ネットワーク１４０を介して接続しているサーバＡ１６１へ中継する（ステップ１３３１、ステップ１３３２）。サーバＡ１６１はサーバＡ１６１のデータ結果と共にデータをゲートウェイ装置内のデータ転送部１３３に送信する（ステップ１６１１）。データ転送部１３３は次の処理先であるサーバＢ１５１へのリダイレクションを起動し（ステップ１３３３）、サーバＡ１６１のデータ結果と共にサーバＢ１５１へ転送処理を実行する（ステップ１３３４）。サーバＢ１５１はサーバＡ１６１のデータ結果と共に、顧客のサービス要求に応じたデータ加工を実行する（ステップ１５１１）。サーバＢ１５１より加工されたデータをスイッチ内のデータ転送部１３３に送信する（ステップ１５１２）。データ転送部１３３は加工データを移動体通信事業者のネットワーク１２０を介してインターネット接続端末に送信する（ステップ１３３４、ステップ１３３５）。
（実施例２）
図３は、本発明の実施例２に係る移動体通信システムの全体構成図である。図３においてインターネット接続端末１１０は移動体通信事業者のネットワーク１２０を介して移動体通信事業者のゲートウェイ装置１３５と接続している。移動体通信事業者のネットワーク１２０とは、無線基地局や交換機を含む従来の移動体通信事業者のネットワークを意味する。ゲートウェイ装置１３５は、目的サーバへの経路処理を行うスイッチ制御部１３６と、各種サーバ１５２、１７１とサーバＡ１６２やインターネット接続端末１１０への中継を実行するスイッチ１３７から構成されている。スイッチ内のデータを中継する機能をデータ転送部１３８とする。ゲートウェイ装置内のスイッチ制御部１３６は移動体通信事業者のネットワーク１２０と接続しており、通信ネットワーク１４０を介してサーバＡ１６２と接続しており、各種サーバ１７１とは直接接続している。スイッチ１３７は、通信事業者のネットワーク１２０と接続しており、通信ネットワーク１４０を介して各種サーバ１５２とサーバＡ１６２とそれぞれ接続、通信ネットワークを介さずに各種サーバ１７１と接続している。各種サーバ１５２は例えばサーバＢ１５３といったサーバ群で構成される。サーバＡ１６２や各種サーバ１７１は、インターネット接続端末１１０からの要求に応じたサービスの組合せを実行するサービス組合せデータベースをそれぞれ所有１６３、１７２する。サービス組合せデータベース１６３、１７２は次に処理を必要とするサーバへと経路を判断処理し、ゲートウェイ装置内のスイッチ１３７に伝達する機能を有する。
【００１１】
本実施の形態では、各種サーバのサービス組合せデータベースがインターネット接続端末からのサービス要求の処理先を選択・判断しゲートウェイ装置内のスイッチに伝達することにより、ゲートウェイ装置が次のサーバに転送し、各々のサーバ処理のデータ結果を加工することにより、顧客への要求に回答することを可能にする。
【００１２】
図４は図３の移動体通信システムの全体構成図における実施例２の処理動作を示したものである。インターネット接続端末よりサービスＡ＋サービスのＢの要求が移動体通信事業者のネットワークを介してゲートウェイ装置に送信される（ステップ１１０１）。サービスＡ、サービスＢはそれぞれサーバＡ１６２、サーバＢ１５３により実現されるものとする。ゲートウェイ装置のスイッチ制御部１３６は顧客の要求を実現するサーバ１６２（実施例２ではサーバＡとする）の宛先を選択し（ステップ１３６１）中継経路をスイッチに伝達する（ステップ１３６２）。スイッチのデータ転送部１３８は通信ネットワーク１４０を介して接続しているサーバＡ１６２へ中継する（ステップ１３８１、ステップ１３８２）。サーバＡのサービス組合せデータベース１６３が目的のサーバ１５３（実施例２ではサーバＢとする）を選択、判断し（ステップ１６３１）、リダイレクションを起動するためサーバＡのデータ結果と共に中継経路をゲートウェイ装置内のスイッチ制御部１３６に伝達する（ステップ１６３２）。スイッチ制御部１３６は、次の処理先であるサーバＢ１５３への中継指示（ステップ１３６２）をスイッチ内のデータ転送部１３８に伝達する（ステップ１３６３）。データ転送部１３８は通信ネットワーク１４０を介してサーバＡのデータ結果をサーバＢ１５３へ転送する（ステップ１３８４）。サーバＢ１５３はサーバＡのデータ結果と共に、顧客のサービス要求に応じたデータ加工を実行する（ステップ１５３１）。サーバＢより加工されたデータをスイッチ内のデータ転送部１３８に送信する（ステップ１５３２）。データ転送部１３８は加工データを移動体通信事業者のネットワーク１２０を介してインターネット接続端末１１０に送信する（ステップ１３８４、ステップ１３８５）。
（実施例３）
図５は、本発明の実施例３に係る移動体通信システムの全体構成図である。図５において、インターネット接続端末１１０は移動体通信事業者のネットワーク１２０を介して移動体通信事業者のゲートウェイ装置１３９と接続している。移動体通信事業者のネットワークとは、無線基地局や交換機を含む従来の移動体通信事業者のネットワークを意味する。ゲートウェイ装置１３９は、目的サーバへの経路処理を行うスイッチ制御部１３６と、中継処理を行うスイッチ１４２とサービス組合せデータベース１４３から構成されている。サービス組合せデータベース１４３は通信ネットワーク１４０を介して送信されるサーバＡ１６１の結果、あるいは通信ネットワークを介さずに送信されるサーバの結果をもとに次に処理を必要とするサーバへと経路を判断処理する機能を有している。スイッチ内のデータを中継する機能をデータ転送部１４１とする。ゲートウェイ装置内のスイッチ制御部１３６は移動体通信事業者のネットワーク１２０と、スイッチ１４２と、サービス組合せデータベース１４３とそれぞれ接続している。サービス組合せデータベース１４３はスイッチ１４２と接続しており、通信ネットワーク１４０を介してサーバＡ１６１と、サーバ１７１とは直接接続している。スイッチ１４２は、通信事業者のネットワーク１２０と接続しており、通信ネットワーク１４０を介して各種サーバ１５０、１６０と接続、通信ネットワークを介さずにサーバ１７１と接続している。各種サーバ１６０は、例えばサーバＡ１６１といったサーバ群で構成される。各種サーバ１５０は例えばサーバＢ１５１といったサーバ群で構成される。
本実施の形態では、ゲートウェイ装置内のサービス組合せデータベースが各種サーバやサーバのデータ結果に応じて次の処理先のサーバを選択・判断しスイッチ制御部に伝達することによりゲートウェイ装置が次のサーバに転送し、各々のサーバ処理のデータ結果を加工することにより、顧客への要求に回答することを可能にする。
【００１３】
図６は図５の移動体通信システムの全体構成図における実施例３の処理動作を示したものである。インターネット接続端末１１０よりサービスＡ＋サービスのＢの要求が移動体通信事業者のネットワークを介してゲートウェイ装置に送信される（ステップ１１０１）。サービスＡ、サービスＢはそれぞれサーバＡ１６１、サーバＢ１５１により実現されるものとする。ゲートウェイ装置のスイッチ制御部１３６は顧客の要求を実現するサーバ１６１（実施例２ではサーバＡとする）の宛先を選択し中継経路をスイッチに伝達する（ステップ１４２１、ステップ１４２２）。スイッチのデータ転送部１４１は通信ネットワーク１４０を介して接続しているサーバＡ１６１へ中継する（ステップ１４１１、ステップ１４１２）。サーバＡのデータ結果をゲートウェイ装置内のサービス組合せデータベース１４３に伝達する（ステップ１６１１）。サービス組合せデータベース１４３はサーバＡのデータ結果を顧客のサービス要求と対照させ、更に別のサーバ１５１（実施例２ではサーバＢとする）にて処理が必要な場合は次のサーバまでの中継経路を作成し（ステップ１４３１）、スイッチ制御部に伝達する（ステップ１４３２）。スイッチ制御部１３６はデータ転送部１４１に中継指示を出す（ステップ１４２３、ステップ１４２４）。データ転送部１４１は通信ネットワーク１４０を介して次の処理先であるサーバＢ１５１へ、サーバＡの結果と共に転送する（ステップ１４１３、ステップ１４１４）。サーバＢ１５１はサーバＡのデータ結果と共に、顧客のサービス要求に応じたデータ加工を実行する（ステップ１５１１）。サーバＢより加工されたデータをスイッチ内のデータ転送部１４１に送信する（ステップ１５１２）。データ転送部１４１は加工データを移動体通信事業者のネットワーク１２０を介してインターネット接続端末１１０に送信する（ステップ１４１６）。
（実施例４）
図７は、本発明の実施例４に係る移動体通信システムの全体構成図である。図７において、各機器の接続構成は図１と同じである。図７では、通信ネットワークを介してゲートウェイ装置と接続しているサーバを翻訳サーバ１５４、アドレス変換サーバ１５５、コンテンツ変換サーバ１５６、キャッシュサーバ１５７、データ圧縮サーバ１５８、通信ネットワークを介さずゲートウェイ装置１３０と接続しているサーバを企業イントラネット１７３と具体化したことが図１と異なる点である。翻訳サーバ１５４とは、データの翻訳を実行するサーバのことで、実施例４では、和英文翻訳機能を有するものとする。アドレス変換サーバ１５５とは、ネットワーク内を流れるＩＰｖ４パケットとＩＰｖ６パケットを条件に応じて変換する機能を有するサーバである。ＩＰｖ６とはインターネットプロトコルの次期バージョンのことである。現在のインターネットあるいはほとんどのネットワークはＩＰｖ４を利用している。ＩＰｖ６により情報伝達の際に個々の機器に割当てられるＩＰアドレスの空間が広がるというメリットがあり、ブロードバンド接続者の増加に伴い今後ＩＰｖ６へ移行すると考えられている。コンテンツ変換サーバ１５６とは、インターネット接続端末１１０に応じてプログラムの記述言語を変換する機能を有するサーバである。キャッシュサーバ１５７とは、各種サーバのデータを蓄積しておき、本来のサーバに代わりインターネット接続端末１１０よりアクセス要求のあった該当データを返送するサーバのことである。企業イントラネット１７３とは、企業内ネットワーク、主としてＷＷＷをベースに構築したアプリケーションのことである。
【００１４】
本実施の形態では、インターネット接続端末からのサービス要求に応じてゲートウェイ装置がサーバの処理先を選択・判断し、通信ネットワークを介して顧客のサービス要求を実現する各種サーバの処理をゲートウェイ装置が組合せることにより顧客への要求に回答することを可能にする。
【００１５】
図８は図７の移動体通信システムの全体構成図における実施例４の処理動作を示したものである。実施例４において、インターネット接続端末をＰＤＡ１１０（Ｐｅｒｓｏｎａｌ  Ｄｉｇｉｔａｌ  Ａｓｓｉｓｔａｎｔ）とし、ＰＤＡからの要求サービスを企業イントラネットの英文翻訳とする。企業イントラネットは日本語で記載されており、記述言語をＨＴＭＬとする。ＰＤＡの記述言語をＸＨＴＭＬとする。
ＰＤＡより企業イントラネットの英文翻訳要求が移動体通信事業者のネットワークを介してゲートウェイ装置に送信される（ステップ１１０２）。ゲートウェイ装置１３０のサービス組合せデータベース１３１は顧客のサービス要求を実現する企業イントラネット１７３と翻訳サーバ１５４、コンテンツ変換サーバ１５６の宛先を判断処理し（ステップ１３１３）、中継経路をスイッチ制御部１３２に伝達する（ステップ１３１４）。スイッチ制御部１３２はスイッチのデータ転送部１３３へ中継処理を指示する（ステップ１３２３、ステップ１３２４）。スイッチのデータ転送部１３３は直接接続している企業イントラネット１７３へ中継する（ステップ１３３５、ステップ１３３６）。企業イントラネットのデータをゲートウェイ装置内のデータ転送部１３３に送信する（ステップ１７３１）。データ転送部１３３は次の処理先であるコンテンツ変換サーバ１５６へのリダイレクションを起動し、企業イントラネットのデータ結果と共にコンテンツ変換サーバ１５６へ転送処理を実行する（ステップ１３３７、ステップ１３３８）。コンテンツ変換サーバ１５６はＨＴＭＬで記述されている企業イントラネットのデータをＰＤＡで表示可能とするＸＨＴＭＬに変換し（ステップ１５６１）、次に翻訳サーバ１５４へと転送する（ステップ１５６２）。翻訳サーバ１５４はＸＨＴＭＬで記述された日本語データの英文翻訳を実行する（ステップ１５４１）。ＸＨＴＭＬで記述、かつ英文翻訳された企業イントラネットのデータは通信ネットワーク１４０を介してゲートウェイ装置のデータ転送部１３３へ送信される（ステップ１５４２）。データ転送部１３３は英文翻訳された企業イントラネットのデータを移動体通信事業者のネットワーク１２０を介してＰＤＡに送信する（ステップ１３３９、ステップ１３４０）。
【００１６】
本実施例は、ゲートウェイ装置１３０と接続している企業イントラネット１７３と、通信ネットワーク１４０を介してゲートウェイ装置１３０と接続しているコンテンツ変換サーバ１５６と翻訳サーバ１５４の組合せにより顧客へのサービス要求へ回答を行う移動体通信システムを説明した。実現方法は実施例１に基づいている。本実施例は企業イントラネット１７３、コンテンツ変換サーバ１５６、翻訳サーバ１５４の組合せ処理にのみ実現可能な移動体通信システムではないと同時に、実現方法も実施例１のみに限定されない。本移動体通信システムはゲートウェイ装置１３０と接続している各種サーバ（例えば、アドレス変換サーバ１５５やキャッシュサーバ１５７など）各々との組合せ処理も実現可能で、かつそれぞれの組合せ処理に対し、実施例１〜３の実現方法が適用可能な構成をとっている。
また、端末がサービス組合せデータベース機能を有しゲートウェイ装置へリダイレクションを起動するという方法もある。
【００１７】
【発明の効果】
以上説明したように、本発明によれば、顧客からのサービス要求に回答するまでに、１つ以上のサーバ処理が実現可能な移動体通信システムを提供することが出来る。
【図面の簡単な説明】
【図１】本発明の実施例１に係る移動体通信システム全体の構成を示す図である。
【図２】本発明の実施例１に係る移動体通信システムの処理動作を
示すシーケンス図である。
【図３】本発明の実施例２に係る移動体通信システム全体の構成を示す図である。
【図４】本発明の実施例２に係る移動体通信システムの処理動作を
示すシーケンス図である。
【図５】本発明の実施例３に係る移動体通信システム全体の構成を示す図である。
【図６】本発明の実施例３に係る移動体通信システムの処理動作を
示すシーケンス図である。
【図７】本発明の実施例４に係る移動体通信システム全体の構成を示す図である。
【図８】本発明の実施例４に係る移動体通信システムの処理動作を
示すシーケンス図である。
【符号の説明】
１１０  インターネット接続端末
１２０  移動体通信事業者のネットワーク
１３０〜１４３  ゲートウェイ装置
１４０  通信ネットワーク
１５０〜１７３  各種サーバ
【図１】
2005025484.tif 000003
【図２】
2005025484.tif 000004
【図３】
2005025484.tif 000005
【図４】
2005025484.tif 000006
【図５】
2005025484.tif 000007
【図６】
2005025484.tif 000008
【図７】
2005025484.tif 000009
【図８】
2005025484.tif 000010